(57)【要約】【課題】本発明は、冗長化に用いる冷却装置の個数を抑制することを目的とする。【解決手段】情報処理装置は、被冷却対象のユニットが各々収納される複数の部屋同士を仕切り板で仕切った収納部と、収納部の内面において複数の部屋に跨って配置される通気口を通じて、ユニットを冷却する冷却風を送る複数の冷却装置を備え、仕切り板は、通気口に隣接する部位に、複数の部屋同士を繋ぐ開口を形成する。【選択図】図２
2018173789.tif 000002
【特許請求の範囲】
【請求項１】
被冷却対象のユニットが各々収納される複数の部屋同士を仕切り板で仕切った収納部と、
前記収納部の内面において前記複数の部屋に跨って配置される通気口を通じて、前記ユニットを冷却する冷却風を送る複数の冷却装置と、を備え、
前記仕切り板は、前記通気口に隣接する部位に、前記複数の部屋同士を繋ぐ開口を形成する、
情報処理装置。
【請求項２】
前記ユニットは、前記部屋に収納された状態において前記開口に位置する部位に切り欠き部を有する、
請求項１に記載の情報処理装置。
【請求項３】
前記複数の冷却装置のうち少なくとも何れか一の冷却装置は、前記通気口のうち前記仕切り板に対向する部位を通じて、前記ユニットを冷却する冷却風を送る、
請求項１または２に記載の情報処理装置。
【請求項４】
前記収納部は、２つの部屋同士を前記仕切り板で仕切っており、
前記複数の冷却装置は、３つの冷却装置である、
請求項１から３の何れか一項に記載の情報処理装置。
【請求項５】
前記収納部は、互いに対向配置される一対の前記通気口を内面に有しており、前記各部屋を前記一対の通気口のうち一方の通気口側と他方の通気口側とに仕切る第２の仕切り板を更に有する、
請求項１から４の何れか一項に記載の情報処理装置。
【発明の詳細な説明】
【技術分野】
【０００１】
本願は、情報処理装置に関する。
【背景技術】
【０００２】
情報処理装置には、各種の冷却機構が備わっている（例えば、特許文献１−２を参照）。
【先行技術文献】
【特許文献】
【０００３】
【特許文献１】特開２００７−１７９６５５号公報
【特許文献２】特開昭６１−１９４８９９号公報
【発明の概要】
【発明が解決しようとする課題】
【０００４】
情報処理装置には、冗長化されたものが存在する。例えば、大規模な基幹システムに用いられるサーバや通信装置等の情報処理装置は、高度な信頼性や安定的な稼働が求められる。また、情報処理装置には、省スペース化が求められる場合がある。例えば、ＥＩＡ（Electronic Industries Alliance）等の諸規格で定められる１９インチのラックに収まる情報処理装置を設計する場合、多くの部品を高密度実装せざるを得ない場合がある。
【０００５】
情報処理装置の冗長化は、通常、同等の機能を発揮する部品が複数用意されることによって実現される。冷却システムの場合であれば、例えば、冷却対象となる１つの装置に対して２つ以上の冷却ファンが用意されていれば、何れかの冷却ファンが故障しても当該装置は稼働し続けることができる。しかし、１つの装置に対して２つ以上の冷却ファンを用意すると、冷却ファンに占有されるスペースが増大する。そこで、小型化した冷却ファンを複数用意して冗長化することも考えられるが、冷却ファンを小型化した場合の冷却性能の低下割合は、冷却ファンの大きさの低下割合よりも大きいため、冷却ファンを小型化すると冷却性能が著しく低下する。よって、冷却ファンを小型化して冗長化すると、冷却対象の装置が求める冷却性能を維持できない可能性がある。
【０００６】
そこで、本発明は、冗長化に用いる冷却装置の個数を抑制することを目的とする。
【課題を解決するための手段】
【０００７】
１つの態様では、情報処理装置は、被冷却対象のユニットが各々収納される複数の部屋同士を仕切り板で仕切った収納部と、収納部の内面において複数の部屋に跨って配置される通気口を通じて、ユニットを冷却する冷却風を送る複数の冷却装置を備え、仕切り板は、通気口に隣接する部位に、複数の部屋同士を繋ぐ開口を形成する。
【発明の効果】
【０００８】
１つの側面として、冗長化に用いる冷却装置の個数を抑制することができる。
【図面の簡単な説明】
【０００９】
【図１】図１は、実施形態に係る情報処理装置の内部構造を上面側から示した図である。
【図２】図２は、実施形態に係る情報処理装置の背面側内部構造を示した垂直断面図である。
【図３】図３は、比較例に係る情報処理装置の背面側内部構造を示した垂直断面図である。
【図４】図４は、情報処理装置の背面側斜視図で、詳細に示した第１の図である。
【図５】図５は、情報処理装置の背面側を斜視図で、詳細に示した第２の図である。
【図６】図６は、収納部に収納されるユニットを斜視図で示した第１の図である。
【図７】図７は、収納部に収納されるユニットを斜視図で示した第２の図である。
【図８】図８は、情報処理装置の内部構造を斜視図で示した図である。
【図９】図９は、通気口と水平仕切り板と冷却装置の位置関係を示した図である。
【図１０】図１０は、部屋内に流入する気流を示した第１の図である。
【図１１】図１１は、通気口付近の気流を示した第１の図である。
【図１２】図１２は、部屋内に流入する気流を示した第２の図である。
【図１３】図１３は、通気口付近の気流を示した第２の図である。
【図１４】図１４は、部屋内に流入する気流を示した第３の図である。
【図１５】図１５は、通気口付近の気流を示した第３の図である。
【図１６】図１６は、切り欠きに相当するものが設けられていないユニットを収納部内の上部に格納した情報処理装置の内部構造を示した図である。
【図１７】図１７は、水平仕切り板が省略された情報処理装置の内部構造を示した図である。
【図１８】図１８は、垂直仕切り板が省略された情報処理装置の内部構造を示した図である。
【図１９】図１９は、情報処理装置の各部の寸法を示す第１の図である。
【図２０】図２０は、情報処理装置の各部の寸法を示す第２の図である。
【図２１】図２１は、情報処理装置の各部の寸法を示す第３の図である。
【発明を実施するための形態】
【００１０】
以下、実施形態について説明する。以下に示す実施形態は、単なる例示であり、本開示の技術的範囲を以下の態様に限定するものではない。
【００１１】
図１は、実施形態に係る情報処理装置の内部構造を上面側から示した図である。また、図２は、実施形態に係る情報処理装置の背面側内部構造を示した垂直断面図である。情報処理装置１は、高機能化や多機能化に対応するべく、ユーザの要求する仕様に応じて選定される様々なユニット２Ｌ１，２Ｌ２，２Ｒ１，２Ｒ２を抜き差し可能な収納部３を備える装置である。収納部３は、水平仕切り板４（本願でいう「仕切り板」の一例である）と垂直仕切り板５（本願でいう「第２の仕切り板」の一例である）で分割された複数の部屋７Ｌ１，７Ｌ２，７Ｒ１，７Ｒ２を内部に有する。部屋７Ｌ１，７Ｌ２，７Ｒ１，７Ｒ２は、何れもユニット２Ｌ１，２Ｌ２，２Ｒ１，２Ｒ２を収納可能な大きさを有する。また、情報処理装置１は、ユニット２Ｌ１，２Ｌ２，２Ｒ１，２Ｒ２へ電力を供給する電源ユニット９Ｌ１，９Ｌ２，９Ｒ１，９Ｒ２を備える。
【００１２】
収納部３の内壁面には、通気口３ＦＬ，３ＦＲが設けられている。通気口３ＦＬ，３ＦＲは、収納部３の内面において水平仕切り板４を跨ぐ位置に配置されている。そして、水平仕切り板４は、通気口３ＦＬ，３ＦＲに隣接する部位に開口６Ｌ，６Ｒを有する。開口６Ｌは、部屋７Ｌ１と部屋７Ｌ２を繋ぐ。また、開口６Ｒは、部屋７Ｒ１と部屋７Ｒ２を繋ぐ。よって、水平仕切り板４によって仕切られている部屋７Ｌ１と部屋７Ｌ２は、開口６Ｌを通じて互いに連通している。また、水平仕切り板４によって仕切られている部屋７Ｒ１と部屋７Ｒ２は、開口６Ｒを通じて互いに連通している。また、通気口３ＦＬは、部屋７Ｌ１と部屋７Ｌ２に跨って配置される形態となる。また、通気口３ＦＲは、部屋７Ｒ１と部屋７Ｒ２に跨って配置される形態となる。ユニット２Ｌ１，２Ｌ２，２Ｒ１，２Ｒ２には、部屋７Ｌ１，７Ｒ１に収納された状態において通気口３ＦＬ，３ＦＲに位置する部位に切り欠き２Ｌ１Ｋ，２Ｌ２Ｋ，２Ｒ１Ｋ，２Ｒ２Ｋが設けられている。
【００１３】
収納部３の両側には、冷却装置８ＬＡ，８ＬＢ，８ＬＣ，８ＲＡ，８ＲＢ，８ＲＣが配置されている。冷却装置８ＬＡ，８ＬＢ，８ＬＣ，８ＲＡ，８ＲＢ，８ＲＣは、何れも収納部３内へ冷却風を送る冷却装置である。冷却装置８ＬＡ，８ＬＢ，８ＬＣは、通気口３ＦＬ側に配置されており、通気口３ＦＬを通じて収納部３内の部屋７Ｌ１，７Ｌ２に冷却風を送る。また、冷却装置８ＲＡ，８ＲＢ，８ＲＣは、通気口３ＦＲ側に配置されており、通気口３ＦＲを通じて収納部３内の部屋７Ｒ１，７Ｒ２に冷却風を送る。
【００１４】
ところで、冷却装置８ＬＡ，８ＬＢ，８ＬＣは、上下方向に積み重なるように配置されている。よって、通気口３ＦＬでは、冷却装置８ＬＡから送られる冷却風が通気口３ＦＬの上部を通過し、冷却装置８ＬＣから送られる冷却風が通気口３ＦＬの下部を通過し、冷却装置８ＬＢから送られる冷却風が通気口３ＦＬの中央部を通過することになる。通気口３ＦＬの中央部を通過した冷却風は、水平仕切り板４によって部屋７Ｌ１側と部屋７Ｌ２側とに分かれる。したがって、部屋７Ｌ１に収納されるユニット２Ｌ１の冷却は、主に冷却装置８ＬＡが担うことになる。また、部屋７Ｌ２に収納されるユニット２Ｌ２の冷却は、主に冷却装置８ＬＣが担うことになる。そして、冷却装置８ＬＢは、部屋７Ｌ１に収納されるユニット２Ｌ１の冷却と、部屋７Ｌ２に収納されるユニット２Ｌ２の冷却とを補助的に担うことになる。
【００１５】
冷却装置８ＲＡ，８ＲＢ，８ＲＣも冷却装置８ＬＡ，８ＬＢ，８ＬＣと同様である。すなわち、冷却装置８ＲＡ，８ＲＢ，８ＲＣも冷却装置８ＬＡ，８ＬＢ，８ＬＣと同様、上下方向に積み重なるように配置されている。そして、部屋７Ｒ１に収納されるユニット２Ｒ１の冷却を主に冷却装置８ＲＡが担い、部屋７Ｒ２に収納されるユニット２Ｒ２の冷却を主に冷却装置８ＲＣが担い、冷却装置８ＲＢがユニット２Ｒ１とユニット２Ｒ２の両方の冷却を補助的に担うことになる。
【００１６】
本実施形態に係る情報処理装置１では、通気口３ＦＬ（３ＦＲ）に複数の冷却装置８ＬＡ，８ＬＢ，８ＬＣ（８ＲＡ，８ＲＢ，８ＲＣ）が隣接配置されており、収納部３の通気口３ＦＬ（３ＦＲ）に隣接する部位に開口６Ｌ（６Ｒ）が設けられているため、例えば、冷却装置８ＬＡ，８ＬＢ，８ＬＣ（８ＲＡ，８ＲＢ，８ＲＣ）のうち何れか一つより送られる冷却風の供給が失われても、ユニット２Ｌ１，２Ｌ２（２Ｒ１，２Ｒ２）の冷却状態が維持される。また、部屋７Ｌ１，７Ｌ２（７Ｒ１，７Ｒ２）に収納されているユニット２Ｌ１，２Ｌ２（２Ｒ１，２Ｒ２）のうち何れか１つが作業等により引き抜かれた状態であっても、冷却装置８ＬＡ（８ＲＡ）から送られる冷却風は部屋７Ｌ１（７Ｒ１）へ流入し、冷却装置８ＬＣ（８ＲＣ）から送られる冷却風は部屋７Ｌ２（７Ｒ２）へ流入し、冷却装置８ＬＢ（８ＲＢ）から送られる冷却風は部屋７Ｌ１（７Ｒ１）と部屋７Ｌ２（７Ｒ２）の両方へ流入し、部屋７Ｌ１，７Ｌ２（７Ｒ１，７Ｒ２）の何れかに残っているユニット２Ｌ１（２Ｒ１）またはユニット２Ｌ２（２Ｒ２）の冷却状態が維持される。すなわち、情報処理装置１では、冷却システムが冗長化されている。
【００１７】
また、情報処理装置１では、冷却システムが冗長化されているにも関わらず、冗長化に用いる冷却装置が冷却装置８ＬＢ（８ＲＢ）の１つに抑制されているため、冷却システムの占有スペースを増大させることなく、１つあたりの冷却装置の大きさを十分に確保することができる。
【００１８】
図３は、比較例に係る情報処理装置の背面側内部構造を示した垂直断面図である。情報処理装置１０１は、情報処理装置１と同様、４つのユニット１０２Ｌ１，１０２Ｌ２，１０２Ｒ１，１０２Ｒ２を備える。そして、情報処理装置１０１では、各ユニット１０２Ｌ１，１０２Ｌ２，１０２Ｒ１，１０２Ｒ２にそれぞれ２つの冷却装置１０８ＬＡ，１０８ＬＢ，１０８ＬＣ，１０８ＬＤ，１０８ＲＡ，１０８ＲＢ，１０８ＲＣ，１０８ＲＤが備わっているものとする。また、情報処理装置１０１では、電源ユニット１０９Ｌ１，１０
９Ｌ２，１０９Ｒ１，１０９Ｒ２が電源ユニット９Ｌ１，９Ｌ２，９Ｒ１，９Ｒ２と同様の位置に備わっている。
【００１９】
比較例に係る情報処理装置１０１において、冷却システムの占有スペースを実施形態の情報処理装置１と同等にする場合、各冷却装置１０８ＬＡ，１０８ＬＢ，１０８ＬＣ，１０８ＬＤ，１０８ＲＡ，１０８ＲＢ，１０８ＲＣ，１０８ＲＤの１つあたりの容積は、実施形態の情報処理装置１が備える各冷却装置８ＬＡ，８ＬＢ，８ＬＣ，８ＲＡ，８ＲＢ，８ＲＣの１つあたりの容積より減少する。
【００２０】
冷却ファンを小型化した場合の冷却性能の低下割合は、冷却ファンの大きさの低下割合よりも大きいため、冷却ファンを小型化すると冷却性能が著しく低下する。冷却ファンは、例えば、冷却ファンのサイズを２分の１にすると、冷却性能が４分の１程度まで低下する。よって、何れかの冷却ファンが停止した場合、冷却対象の装置が求める冷却性能を維持できない可能性がある。この点、実施形態に係る情報処理装置１であれば、冗長構成を維持しつつ、各冷却装置８ＬＡ，８ＬＢ，８ＬＣ，８ＲＡ，８ＲＢ，８ＲＣの容積を比較例の冷却装置１０８ＬＡ，１０８ＬＢ，１０８ＬＣ，１０８ＬＤ，１０８ＲＡ，１０８ＲＢ，１０８ＲＣ，１０８ＲＤよりも大きくできるため、冷却性能の低下割合が比較例よりも小さい。すなわち、実施形態に係る情報処理装置１であれば、冷却装置の個数を削減することで冷却ファンの小型化による冷却性能の低下を可及的に抑制しつつ、冗長構成を採ることが可能である。
【００２１】
情報処理装置１の構造の詳細について以下に説明する。図４は、情報処理装置１を斜視図で詳細に示した第１の図である。図４では、部屋７Ｌ１にユニット２Ｌ１が収納され、部屋７Ｌ２にユニット２Ｌ２が収納され、部屋７Ｒ１にユニット２Ｒ１が収納され、部屋７Ｒ２にユニット２Ｒ２が収納された状態の情報処理装置１が図示されている。また、図４では、情報処理装置１に６つの冷却装置８ＬＡ，８ＬＢ，８ＬＣ，８ＲＡ，８ＲＢ，８ＲＣが装着された状態の情報処理装置１が図示されている。なお、図４では、上部の蓋が開放された状態で情報処理装置１が図示されている。よって、図４では、部屋７Ｌ１と部屋７Ｒ１の内部が図示されている。しかし、情報処理装置１は、情報処理装置１の上部が蓋で覆われ、部屋７Ｌ１と部屋７Ｒ１が外部開放されない状態で用いられる。
【００２２】
図５は、情報処理装置１を斜視図で詳細に示した第２の図である。図５では、冷却装置８ＲＡが抜き去られた状態の情報処理装置１が図示されている。情報処理装置１は、冷却装置８ＬＡ，８ＬＢ，８ＬＣ，８ＲＡ，８ＲＢ，８ＲＣを着脱可能な構造となっている。よって、例えば、冷却装置８ＬＡ，８ＬＢ，８ＬＣ，８ＲＡ，８ＲＢ，８ＲＣの何れかが故障した場合であっても、作業者は、情報処理装置１が作動中であると否とに関わりなく、故障した冷却装置を交換可能である。
【００２３】
図６は、収納部３に収納されるユニット２Ｌ１，２Ｒ１（２Ｌ２，２Ｒ２）を斜視図で示した第１の図である。また、図７は、収納部３に収納されるユニット２Ｌ１，２Ｒ１（２Ｌ２，２Ｒ２）を斜視図で示した第２の図である。ユニット２Ｌ１とユニット２Ｒ１は、１つのケース３Ｋに収められている。図７では、上部の蓋が開放された状態のケース３Ｋが図示されている。垂直仕切り板５は、ケース３Ｋ内の中央部に立設されている板材によって形成される。ユニット２Ｌ１，２Ｒ１（２Ｌ２，２Ｒ２）は、ケース３Ｋに収められて一体化された状態で収納部３に収納される。ユニット２Ｌ１，２Ｒ１（２Ｌ２，２Ｒ２）を収めたケース３Ｋは、奥側の左右両側に切り欠き２Ｌ１Ｋ，２Ｒ２Ｋ（２Ｌ２Ｋ，２Ｒ２Ｋ）を形成する。
【００２４】
図８は、情報処理装置１の内部構造を斜視図で示した図である。図８は、ユニット２Ｌ１，２Ｌ２を格納したケース３Ｋが収納部３内の上側部分に収められた状態の情報処理装
置１の内部構造を示している。ユニット２Ｌ１，２Ｌ２を格納したケース３Ｋが収納部３内の上側部分に収められると、ユニット２Ｒ１が形成する切り欠き２Ｒ１Ｋは、通気口３ＦＲの正面に位置する状態となる。したがって、開口６Ｒを通じた部屋７Ｒ１と部屋７Ｒ２との連通状態が、収納部３に収納されたユニット２Ｒ１に阻害されない。ユニット２Ｌ１側についてもユニット２Ｒ１側と同様である。
【００２５】
図９は、通気口３ＦＲと水平仕切り板４と冷却装置８ＲＡ，８ＲＢ，８ＲＣの位置関係を示した図である。冷却装置８ＲＡ，８ＲＢ，８ＲＣが情報処理装置１に装着されると、図９の通気口３ＦＲ内に図示されているように、冷却装置８ＲＡ，８ＲＢ，８ＲＣの各冷却ファンが通気口３ＦＲから覗き見える状態となる。よって、冷却装置８ＲＡ，８ＲＢ，８ＲＣの冷却ファンが作動すると、情報処理装置１の正面側から吸引された空気が、部屋７Ｒ１，７Ｒ２内へ冷却風として流入する。そして、通気口３ＦＲから覗き見える３つの冷却装置８ＲＡ，８ＲＢ，８ＲＣの各冷却ファンのうち、通気口３ＦＲの中央部分に位置する冷却装置８ＲＢの冷却ファンの前を水平仕切り板４が横切る形態となる。換言すると、冷却装置８ＲＢは、通気口３ＦＲのうち水平仕切り板４に対向する部位を通じて冷却風を送る形態となる。したがって、冷却装置８ＲＡから送られる冷却風が部屋７Ｒ１へ流入し、冷却装置８ＲＣから送られる冷却風が部屋７Ｒ２へ流入するのに対し、冷却装置８ＲＢから送られる冷却風は、部屋７Ｒ１と部屋７Ｒ２の両方へ流入することになる。
【００２６】
なお、図９を見ると判るように、水平仕切り板４は、冷却装置８ＲＢの冷却ファンの中心よりも僅かに上側寄りとなっている。これは、冷却装置８ＲＢの冷却ファンの内部構造の都合により、冷却装置８ＲＢの冷却ファンが形成する冷却風の風量の分布に上下でばらつきがあるため、冷却装置８ＲＢから送られる冷却風の風量が部屋７Ｒ１と部屋７Ｒ２とで概ね等しくなるように水平仕切り板４の位置が決定されたことに由来する。よって、冷却装置８ＲＢの冷却ファンに対する水平仕切り板４の相対的な位置は、冷却ファンが生成する冷却風の風量分布の特性に応じて上下することになる。
【００２７】
図１０は、部屋７Ｌ１，７Ｒ１内に流入する気流を示した第１の図である。情報処理装置１の作動中、部屋７Ｌ１内には冷却装置８ＬＡ，８ＬＢから送られる冷却風が流入する。そして、部屋７Ｌ１内に流入した冷却風は、垂直仕切り板５に案内されてユニット２Ｌ１側へ方向転換し、ユニット２Ｌ１内を通過する過程でユニット２Ｌ１を冷却し、情報処理装置１の背面から排気される。また、部屋７Ｒ１内に流入した冷却装置８ＲＡ，８ＲＢからの冷却風は、垂直仕切り板５に案内されてユニット２Ｒ１側へ方向転換し、ユニット２Ｒ１内を通過する過程でユニット２Ｒ１を冷却し、情報処理装置１の背面から排気される。
【００２８】
図１１は、通気口３ＦＲ付近の気流を示した第１の図である。情報処理装置１では、冷却装置８ＲＢの冷却ファンの前を水平仕切り板４が横切る形態となっている。よって、冷却装置８ＲＢから送られる冷却風は、水平仕切り板４で分断され、水平仕切り板４の上側を流れる冷却風と水平仕切り板４の下側を流れる冷却風とに分かれる。そして、水平仕切り板４の上側に分かれた冷却装置８ＲＢからの冷却風は、冷却装置８ＲＡから送られる冷却風と共にユニット２Ｒ１へ流れる。
【００２９】
図１２は、部屋７Ｌ１，７Ｒ１内に流入する気流を示した第２の図である。図１２は、情報処理装置１から冷却装置８ＲＡが引き抜かれている場合の気流を示している。情報処理装置１から冷却装置８ＲＡが引き抜かれている場合であっても、情報処理装置１の作動中、部屋７Ｒ１内には冷却装置８ＲＢから送られる冷却風が流入する。そして、部屋７Ｒ１内に流入した冷却風は、ユニット２Ｒ１内を通過する過程でユニット２Ｒ１を冷却し、情報処理装置１の背面から排気される。
【００３０】
図１３は、通気口３ＦＲ付近の気流を示した第２の図である。情報処理装置１では、冷却装置８ＲＢの冷却ファンの前を水平仕切り板４が横切る形態となっている。よって、情報処理装置１から冷却装置８ＲＡが引き抜かれており、冷却装置８ＲＡが装着されていた位置から流れる冷却風が無い場合であっても、ユニット２Ｒ１には、水平仕切り板４で分断されて水平仕切り板４の上側に分かれた冷却装置８ＲＢからの冷却風が流れる。また、冷却装置８ＲＢの上側で冷却風を送っていた冷却装置８ＲＡが無いため、部屋７Ｒ２側へ吹き出た冷却装置８ＲＢからの冷却風の一部が開口６Ｒを通過し、部屋７Ｒ１側へ流れる効果も多少生ずる。したがって、例えば、冷却装置８ＲＡが故障で停止し、冷却装置８ＲＡが情報処理装置１から引き抜かれても、情報処理装置１は、ユニット２Ｒ１の冷却状態を維持してユニット２Ｒ１を作動させ続けることが可能である。冷却装置８ＬＡ，８ＬＢ，８ＬＣ，８ＲＢ，８ＲＣの何れかが情報処理装置１から引き抜かれた場合も、冷却装置８ＲＡが情報処理装置１から引き抜かれた場合と同様である。
【００３１】
図１４は、部屋７Ｒ１，７Ｒ２内に流入する気流を示した第３の図である。図１４は、情報処理装置１からユニット２Ｌ２，２Ｒ２が引き抜かれている場合の気流を示している。情報処理装置１の作動中、部屋７Ｒ１内には冷却装置８ＲＡから送られる冷却風が流入する。そして、部屋７Ｒ１内に流入した冷却風は、垂直仕切り板５に案内されてユニット２Ｒ１側へ方向転換し、ユニット２Ｒ１内を通過する過程でユニット２Ｒ１を冷却し、情報処理装置１の背面から排気される。
【００３２】
図１５は、通気口３ＦＲ付近の気流を示した第３の図である。情報処理装置１からユニット２Ｌ２，２Ｒ２が引き抜かれている場合の、通気口３ＦＲから部屋７Ｒ１を経由して情報処理装置１の背面へ至る経路と、通気口３ＦＲから部屋７Ｒ２を経由して情報処理装置１の背面へ至る経路とを比較した場合、経路の物理的な障害物となるユニット２Ｌ２，２Ｒ２が存在しない後者の経路の方が、空気抵抗は小さい。よって、情報処理装置１からユニット２Ｌ２，２Ｒ２が引き抜かれると、通気口３ＦＲから収納部３内へ流入した冷却風は部屋７Ｒ２側へ流れやすい。しかし、情報処理装置１では、通気口３ＦＲの前を水平仕切り板４が横切る形態となっているため、通気口３ＦＲから収納部３内へ流入した冷却風は、水平仕切り板４で分断される。したがって、水平仕切り板４の上側に流れた冷却装置８ＲＡおよび冷却装置８ＲＢからの冷却風は、ユニット２Ｒ１へ流れる。よって、例えば、ユニット２Ｌ２，２Ｒ２が故障で停止し、ユニット２Ｌ２，２Ｒ２が情報処理装置１から引き抜かれても、情報処理装置１は、ユニット２Ｌ１，２Ｒ１の冷却状態を維持してユニット２Ｌ１，２Ｒ１を作動させ続けることが可能である。ユニット２Ｌ１，２Ｒ１が情報処理装置１から引き抜かれた場合も、ユニット２Ｌ２，２Ｒ２が情報処理装置１から引き抜かれた場合と同様である。
【００３３】
＜第１比較例＞
切り欠き２Ｌ１Ｋ，２Ｌ２Ｋ，２Ｒ１Ｋ，２Ｒ２Ｋの効果を以下に説明する。図１６は、切り欠き２Ｌ１Ｋ，２Ｒ１Ｋに相当するものが設けられていないユニットを収納部３内の上部に格納した情報処理装置１の内部構造を示した図である。切り欠き２Ｌ１Ｋ，２Ｒ１Ｋに相当するものが設けられていないユニットを収納部３内の上部に格納した場合、図１６に示す破線で囲まれた２つの領域を見比べると判るように、通気口３ＦＲの中央部付近は、収納部３内の上部に格納されたユニットに覆われる。よって、通気口３ＦＲの中央部付近に位置する冷却ファンを有する冷却装置８ＲＢから送られる冷却風は、収納部３内の上部に格納されたユニットに遮られ、ユニット２Ｒ１内に殆ど流入しないことになる。したがって、冷却装置８ＲＡが故障すると、ユニット２Ｒ１を冷却する能力は殆ど喪失する。
【００３４】
＜第２比較例＞
水平仕切り板４の効果を以下に説明する。図１７は、水平仕切り板４が省略された情報
処理装置１の内部構造を示した図である。図１７では、省略された水平仕切り板４をハッチングで示している。情報処理装置１からユニット２Ｌ２，２Ｒ２が引き抜かれている場合、通気口３ＦＲから部屋７Ｒ１を経由して情報処理装置１の背面へ至る経路よりも、通気口３ＦＲから部屋７Ｒ２を経由して情報処理装置１の背面へ至る経路の方が、空気抵抗は小さい。よって、冷却装置８ＲＢの冷却ファンの前を横切る水平仕切り板４が省略されている場合、通気口３ＦＲから収納部３内へ流入した冷却風が水平仕切り板４で分断されないため、通気口３ＦＲから収納部３内へ流入した冷却風は部屋７Ｒ２側へ流れやすい。したがって、ユニット２Ｒ１を冷却する能力は喪失する。
【００３５】
＜第３比較例＞
垂直仕切り板５の効果を以下に説明する。図１８は、垂直仕切り板５が省略された情報処理装置１の内部構造を示した図である。垂直仕切り板５が省略された場合、通気口３ＦＬを通過した冷却風は、通気口３ＦＬに対向配置されている通気口３ＦＲへ向かって流れることになる。よって、例えば、冷却装置８ＲＡが情報処理装置１から引き抜かれた場合、通気口３ＦＲから通気口３ＦＬへ向かう冷却風の喪失により、通気口３ＦＲへ向かって通気口３ＦＬから吹き出た冷却風の多くが、通気口３ＦＲに流れ込むことになる。すなわち、ユニット２Ｌ１やユニット２Ｒ１を通過する通気口３ＦＬからの冷却風が大幅に減少する。よって、垂直仕切り板５が省略されると、冷却に関し、冗長構成が形成されない。
【００３６】
なお、情報処理装置１の各部の寸法は、例えば、以下のように規定されることが好ましい。図１９は、情報処理装置１の各部の寸法を示す第１の図である。また、図２０は、情報処理装置１の各部の寸法を示す第２の図である。また、図２１は、情報処理装置１の各部の寸法を示す第３の図である。
【００３７】
例えば、図１９に示されるように、収納部３の底面から水平仕切り板４までの高さをＧとする。また、通気口３ＦＬ，３ＦＲの横幅をＳとする。また、図２０に示されるように、通気口３ＦＬ，３ＦＲの正面に位置する部分の水平仕切り板４の横幅をＲ、奥行きをＵとする。また、図２１に示されるように、通気口３ＦＬ，３ＦＲの横幅をＴ、奥行きをＶとする。
【００３８】
情報処理装置１の各部の寸法がこのように規定される場合、Ｇは、冷却装置８ＬＢ，８ＲＢからの冷却風が水平仕切り板４の上側と下側で２等分される高さとなるように決定されることが好ましい。Ｇがこのように決定されれば、冷却装置８ＬＢ，８ＲＢは、水平仕切り板４の上側と下側の何れにも均等に冷却風を送ることができる。また、ユニット２Ｌ１，２Ｌ２，２Ｒ１，２Ｒ２の何れかが情報処理装置１から引き抜かれた場合の、引き抜き部分からの冷却風の流出を防ぐことができる。
【００３９】
また、Ｒ，Ｔ，Ｓは、以下の関係式を満たすように決定されることが好ましい。
Ｒ  ＞  Ｔ  ＞  Ｓ
Ｒ，Ｔ，Ｓが各々上記の関係式を満たすように決定されれば、通気口３ＦＬ，３ＦＲから収納部３内に流入する冷却風の流路が確保され、冷却装置８ＬＢ，８ＲＢからの冷却風がユニット２Ｌ１，２Ｌ２，２Ｒ１，２Ｒ２を冷却することが可能となる。
【００４０】
また、Ｕ，Ｖは、以下の関係式を満たすように決定されることが好ましい。
Ｕ  ＞  Ｖ
Ｕ，Ｖが各々上記の関係式を満たすように決定されれば、ユニット２Ｌ１，２Ｒ１が冷却装置８ＬＢ，８ＲＢからの冷却風を妨げる抵抗にならない寸法となる。
【００４１】
なお、情報処理装置１の寸法に関し、情報処理装置１０１と比較したところ、以下の表に示すような結果となった。
【表１】
2018173789.tif 000003
【００４２】
すなわち、実施形態に係る情報処理装置１と比較例に係る情報処理装置１０１を、冗長構成を維持しながら同等の冷却性能となるように設計したところ、情報処理装置１０１が約３５５ｍｍの装置高さとなったのに対し、情報処理装置１は約２８５ｍｍの装置高さとなった。すなわち、情報処理装置１は、情報処理装置１０１よりも装置の高さを約２０％程度小型化できることが判った。
【００４３】
なお、上記実施形態では、水平仕切り板４が水平となり、垂直仕切り板５が垂直となる前提で情報処理装置１を解説したが、情報処理装置１の姿勢はこれに限定されない。例えば、水平仕切り板４が垂直となり、垂直仕切り板５が水平となるように情報処理装置１が設置されてもよい。また、上記実施形態では、２つのユニットに対応して３つの冷却装置が設けられているが、情報処理装置１はこれに限定されない。情報処理装置１は、例えば、３つ以上のユニットに対して４つ以上の冷却装置が設けられていてもよい。また、上記実施形態では、収納部３の両側に各々３つの冷却装置が設置され、垂直仕切り板５によって左右に分割された収納部３内を左側の冷却装置と右側の冷却装置が冷却する形態となっていたが、収納部３はこれに限定されない。情報処理装置１は、例えば、収納部３の左側または右側にある３つの冷却装置が省略され、垂直仕切り板５によって分割されない収納部３内を収納部３の片側にある３つの冷却装置が冷却する形態であってもよい。
【符号の説明】
【００４４】
１，１０１・・情報処理装置
２Ｌ１，２Ｌ２，２Ｒ１，２Ｒ２，１０２Ｌ１，１０２Ｌ２，１０２Ｒ１，１０２Ｒ２・・ユニット
２Ｌ１Ｋ，２Ｌ２Ｋ，２Ｒ１Ｋ，２Ｒ２Ｋ・・切り欠き
３・・収納部
３ＦＬ，３ＦＲ・・通気口
３Ｋ・・ケース
４・・水平仕切り板
５・・垂直仕切り板
６Ｌ，６Ｒ・・開口
７Ｌ１，７Ｌ２，７Ｒ１，７Ｒ２・・部屋
８ＬＡ，８ＬＢ，８ＬＣ，８ＲＡ，８ＲＢ，８ＲＣ，１０８ＬＡ，１０８ＬＢ，１０８ＬＣ，１０８ＬＤ，１０８ＲＡ，１０８ＲＢ，１０８ＲＣ，１０８ＲＤ・・冷却装置
９Ｌ１，９Ｌ２，９Ｒ１，９Ｒ２，１０９Ｌ１，１０９Ｌ２，１０９Ｒ１，１０９Ｒ２・・電源ユニット
【図１】
2018173789.tif 000004
【図２】
2018173789.tif 000005
【図３】
2018173789.tif 000006
【図４】
2018173789.tif 000007
【図５】
2018173789.tif 000008
【図６】
2018173789.tif 000009
【図７】
2018173789.tif 000010
【図８】
2018173789.tif 000011
【図９】
2018173789.tif 000012
【図１０】
2018173789.tif 000013
【図１１】
2018173789.tif 000014
【図１２】
2018173789.tif 000015
【図１３】
2018173789.tif 000016
【図１４】
2018173789.tif 000017
【図１５】
2018173789.tif 000018
【図１６】
2018173789.tif 000019
【図１７】
2018173789.tif 000020
【図１８】
2018173789.tif 000021
【図１９】
2018173789.tif 000022
【図２０】
2018173789.tif 000023
【図２１】
2018173789.tif 000024